(57)【特許請求の範囲】
【請求項１】
金属屋根の桁行方向に平行に立ち上がり形されたハゼ部に取付けられる太陽電池パネルの支持金具であって、金属屋根の流れ方向に前後を対応させて太陽電池パネルを載置する台座部を設け、該台座部の右側縁下部に板状の右脚部を下方連続形成し、該右脚部の下端縁に先端が左側に指向する右爪片を突設し、台座部の左側縁下部に左下がりに傾斜した先端が円形の突片を連続形成して成る右側つかみ部と、該右側つかみ部の突片と右爪片との間から挿入可能にして、且つ台座部と突片を載上合致可能な段丘部を設け、該段丘部は台座部に上下方向で着離自在な上段部と、突片先端を上下方向で着離自在にして且つ着座状態で回動自在に受承する半円弧溝状の下段部を設け、該下段部の下側縁に板状の左脚部を下方連続形成し、該左脚部の下端縁に先端が右側に指向して前記右爪片に対向する左爪片を突設して成る左側つかみ部とから成り、該左側つかみ部の上段部より上方突設させた螺子部を、右側つかみ部の台座部に貫設した左右に長い長穴に挿通してナット締めすることにより、左右爪片間にハゼ部の基部を挟持する様に成したことを特徴とする太陽電池パネルの支持金具。
【請求項２】
台座部の右側縁下部と下段部の下側縁の夫々に下方連続する左右脚部は、外方湾出する断面円弧板状に形成したことを特徴とする請求項１記載の太陽電池パネルの支持金具。
【発明の詳細な説明】
【技術分野】
【０００１】
本発明は、継ぎ目に各種ハゼ部を有する立平葺き屋根や折板屋根等の金属屋根上に太陽電池パネルを取付けるために設置される太陽電池パネルの支持金具に関する。
【背景技術】
【０００２】
特許文献１には、左右一対の断面略コ字板状の左右側挟持体を備え、左側挟持体の左側天板部の上面に右側挟持体の右側天板部を重合し、左右側天板部の各基端を片持ち梁状に支持する左右側起立板部を対峙させると共に、左右側起立板部の下端に左右側天板部と平行に突設した左右側爪板部の先端を対向させ、右側天板部の先端には、左側起立板部に当接可能な突片を垂設し、下側となる左側天板部の中央に上方突設させた螺子部を、上側となる右側天板部の中央に貫設した左右に長い長穴に挿通してナット締めする支持金具が開示されている。
この支持金具では、ナットを緊締して上下の左右側天板部を徐々に密着させることにより、右側挟持体の突片と左側挟持体の左側起立板部とを密着させ、左右側挟持体が相互に外側へ移動することを抑制する。
これにより、左右側爪板部をその間に配置されるハゼ部に向かって押圧させられ、このハゼ部に対する左右側爪板部の押圧力によってハゼ部の基部を挟持し、支持金具が折板屋根に取付けられる。
【先行技術文献】
【特許文献】
【０００３】
【特許文献１】特許第５６１２７３２号公報
【発明の概要】
【発明が解決しようとする課題】
【０００４】
しかしながら、上記構成の支持金具は、折板屋根における嵌合ハゼ部を取付け対象としているため、立平葺き屋根や嵌合ハゼ部を有しない折板屋根に必ずしも適用できないといった課題を有している。
又、上記支持金具では、左右側爪板部の先端間にハゼ部を強固に挟持した時に、左右側起立板部を折損させる様な応力がその高さ方向略中間部辺りに集中することになるため、その応力に耐えられるだけの肉厚を有する様に強化する必要があった。
このため、支持金具が全体的に分厚くなると共に重量も増すことになるので、現場での作業性に支障を来したり、また支持金具の材料費が増し、施工費にも影響を及ぼすといった課題を有している。
そこで、本発明では、いかなる構成の金属屋根のハゼ部であっても挟持可能な汎用性を有すると共に、金属屋根への接続固定強度が高く、しかもハゼ部を挟持した時に作用する上記の様な折損応力を分散させて極力薄肉に形成できる様にした太陽電池パネルの支持金具を提供することを目的としている。
【課題を解決するための手段】
【０００５】
上記課題に鑑み、本発明に係る太陽電池パネルの支持金具は、金属屋根の桁行方向に平行に立ち上がり形されたハゼ部に取付けられるものであって、金属屋根の流れ方向に前後を対応させて太陽電池パネルを載置する台座部を設け、該台座部の右側縁下部に板状の右脚部を下方連続形成し、該右脚部の下端縁に先端が左側に指向する右爪片を突設し、台座部の左側縁下部に左下がりに傾斜した先端が円形の突片を連続形成して成る右側つかみ部と、該右側つかみ部の突片と右爪片との間から挿入可能にして、且つ台座部と突片を載上合致可能な段丘部を設け、該段丘部は台座部に上下方向で着離自在な上段部と、突片先端を上下方向で着離自在にして且つ着座状態で回動自在に受承する半円弧溝状の下段部を設け、該下段部の下側縁に板状の左脚部を下方連続形成し、該左脚部の下端縁に先端が右側に指向して前記右爪片に対向する左爪片を突設して成る左側つかみ部とから成り、該左側つかみ部の上段部より上方突設させた螺子部を、右側つかみ部の台座部に貫設した左右に長い長穴に挿通してナット締めすることにより、左右爪片間にハゼ部の基部を挟持する様に成したことを特徴とする。
又、台座部の右側縁下部と下段部の下側縁の夫々に下方連続する左右脚部は、外方湾出する断面円弧板状に形成したことを特徴とする。
【発明の効果】
【０００６】
要するに本発明は、上記構成から成るので、ナットを緩め螺子部の上方へ配置させ、右側つかみ部の右爪片と左側つかみ部の左爪片とを上下に離間させると共に、螺子部を右側つかみ部の長穴右端側へ傾倒させることにより、左右爪片の間隔を、金属屋根における各種ハゼ部の形状や大きさに対応して上下に拡開させられ、そこから、いかなる構成の金属屋根のハゼ部であっても、右側つかみ部と左側つかみ部の間に構成される中空部内に挿入させられ、左右爪片間にハゼ部の基部を配置できる。
次いで、ナットを締め付けることにより、右側つかみ部の台座部及び突片と、左側つかみ部の段丘部（上段部及び下段部）が相互に近づくことで、左右側つかみ部の左右爪片の間隔が狭まりハゼ部の基部を従来と同様に挟持して行き、更に段丘部上に台座部と突片が対応し、突片先端が段丘部の下段部に受承されると、かかる部位を支点として左右側つかみ部は相反方向に回動力を生じて左右爪片のハゼ部の基部に対する挟持力をより増大させることができる。
よって、本発明によれば、金属屋根への接続固定強度が高く、より信頼性の高い支持金具を提供できる。
【０００７】
又、上記の様に左右側つかみ部の左右爪片がハゼ部の基部を強固に挟持した状態において、右側つかみ部と左側つかみ部の左右脚部が共に外方湾出する断面円弧板状に形成されている場合には、ナットの締め付けによって各脚部に作用する応力を全体に一様に分布させられ、従来の様な応力集中を阻止できる。
したがって、本発明によれば、支持金具の肉厚を極力を薄肉に形成でき、支持金具の重量を低減できると共に、支持金具の材料費を低減でき、ひいては施工費を低廉化できる等その実用的効果甚だ大である。
【図面の簡単な説明】
【０００８】
【図１】本発明に係る支持金具の斜視図である。
【図２】同上分解斜視図である。
【図３（ａ）】支持金具の第一取付け工程を示す正面図である。
【図３（ｂ）】支持金具の第二取付け工程を示す正面図である。
【図３（ｃ）】支持金具の第三取付け工程を示す正面図である。
【図４】金属屋根における太陽電池パネルの一設置例を示す斜視図である。
【図５】図４の一部省略側面図である。
【発明を実施するための形態】
【０００９】
以下本発明の実施の一形態例を図面に基づいて説明する。
本発明に係る太陽電池パネルＰの支持金具１は、図４、５に示す様に、金属屋根Ｒの桁行方向Ｘに平行に立ち上がり形されたハゼ部Ｈに取付けられるものであって、該ハゼ部Ｈの基部を挟持する右側つかみ部２と左側つかみ部３とから成り、両つかみ部２、３はボルト４とナット５で連結されている（図１、２参照）。
【００１０】
尚、金属屋根Ｒは、本実施例ではその代表例として、継ぎ目に角ハゼから成るハゼ部Ｈを有する折板屋根を示して説明しているが、支持金具１は、その他にハゼ部が両丸ハゼの折板屋根であったり、継ぎ目に巻きハゼ又は嵌合ハゼを有する立平葺屋根など、いかなる形状のハゼ部Ｈを有する金属屋根Ｒにも取付けられる汎用性を有している。
【００１１】
右側つかみ部２は、金属屋根Ｒの流れ方向Ｙ（ハゼ部Ｈの長手方向に同じ）に前後を対応させて太陽電池パネルＰを載置する台座部６を設けている。
【００１２】
台座部６は、前後方向に長い凹溝７を形成すると共に、該凹溝７の左右側壁上端縁に小幅な水平帯板８、8aを平行配置し、該水平帯板８、8a前後の夫々に所定間隔Ｄを設けて流れ方向Ｙ前後で隣接配置される太陽電池パネルＰの前後端部を載置する様に成している。
【００１３】
右側の水平帯板8aの外側縁の中央には、上記間隔Ｄに対応した前後長Ｄを有する方形板状の間隔保持板９を右上がりに傾斜突設しており、該間隔保持板９は、その基端が切欠可能に薄肉に形成され、必要に応じて水平帯板8aより離脱可能と成している。
又、台座部６において、凹溝７の中央と前方には、左右方向に長い長穴10、10ａが貫設されている。
【００１４】
そして、台座部６の右側縁下部には短尺な垂下壁11を垂設すると共に、該垂下壁11下方に外方湾出する断面円弧板状の右脚部12を下方連続形成し、該右脚部12の下端縁に先端が左側に指向する右爪片13を若干上向きに傾斜突設している。
又、台座部６の左側縁下部には、左下がりに傾斜した短尺な突片14を連続形成し、該突片14の先端14ａは円形に形成されている。
【００１５】
左側つかみ部３は、右側つかみ部２の突片14と右爪片13との間の左側空隙Ｓから挿入可能にして、台座部６と突片14を載上合致可能な階段状の段丘部15を設けている。
【００１６】
段丘部15は、その前後長（奥行き）が台座部６より若干短く設定されると共に、台座部６の底面に上下方向で着離自在な矩形板状の上段部15ａと、該上段部15ａの左側縁に突片14の内側斜面に対応する様に形成した斜面を介してその下端に突片先端14ａの円形端部14ａを上下方向で着離自在にして且つ着座状態で回動自在に受承する様に設けた半円弧溝状の下段部15ｂとから構成されている。
【００１７】
又、段丘部15において、上段部15ａの中央と前方には、台座部６の長穴10、10ａに対応した円形のボルト挿通穴16、16ａが貫設され、通常は中央のボルト挿通穴16の下方から上方へ向かってボルト４が挿通され、これによりボルト４の螺子部4aを段丘部15の上段部15ａより上方突設し、後述の如く螺子部4aを台座部６中央の長穴10の下方から挿通する。
尚、必要に応じてボルト４は、前方のボルト挿通穴16ａに挿通され、同様に段丘部15より上方突設した螺子部4aをこの場合には台座部６前方の長穴10ａの下方から挿通する。
又、段丘部15上に台座部６と突片14が載上合致した状態では、長穴10、10ａの右端に螺子部4aが位置する様に設定されている。
【００１８】
そして、上段部15ａ底面には、ボルト挿通穴16、16ａの中心を中心軸線上に合致させたボルト回転不能溝17を形成している。
このボルト回転不能溝17は、上段部15ａの右側縁に垂設した短尺な垂下壁17ａと、該垂下壁17ａとボルト４の六角頭4bの対辺間距離を隔てて上段部15ａ底面に略平行に垂設され、且つ先端が鉤状に形成されて垂下壁17ａより若干長い鉤状壁17ｂとにより構成され、ボルト挿通穴16、16ａに挿通したボルト４の六角頭4bがボルト回転不能溝17に配置されることにより回転不能と成し、その螺子部4aに螺合するナット５を上下動可能と成している。
【００１９】
又、ボルト挿通穴16、16ａに挿通されたボルト４は、上段部15ａ上面でばね板ナット18に差し込まれ、これによりボルト４はボルト挿通穴16、16ａから脱落することはなく、螺子部4aの上段部15ａ上面からの上方突出状態が維持される。
【００２０】
そして、段丘部15の左側縁下部、即ち下段部15ｂの下側縁には外方湾出する断面円弧板状の左脚部19を下方連続形成し、該左脚部19の下端縁に先端が右側に指向して上記右爪片13に対向する左爪片20を若干上向きに傾斜突設している。
【００２１】
上記の様に夫々構成された右側つかみ部２と左側つかみ部３にあっては、右側つかみ部２の突片14と右爪片13との間の左側空隙Ｓから左側つかみ部３の段丘部15を挿入すると共に、該段丘部15より上方突出する螺子部4aを長穴10、10ａに挿通し、右側つかみ部２の台座部６を貫通した螺子部4aにワッシャ21とバネ座金22を挿通してナット５を螺着し、これにより右側つかみ部２と左側つかみ部３を連結し支持金具１と成している。
【００２２】
かかる支持金具１にあっては、図3(a)に示す様に、螺子部4aの上方にナット５を配置させた状態で、右側つかみ部２の右爪片13と左側つかみ部３の左爪片20とを上下に離間させると共に、螺子部4aを右側つかみ部２の長穴10、10ａの右端側へ傾倒させる（第一取付け工程）。
【００２３】
これにより、左右爪片13、20の間隔を、金属屋根Ｒにおける各種ハゼ部Ｈの形状や大きさに対応して上下に食い違いに拡開させられ、そこから、図3(b)に示す様に、いかなる構成の金属屋根Ｒのハゼ部Ｈであっても、右側つかみ部２と左側つかみ部３の間に構成される中空部Ｍ内に挿入させられ、左右爪片13、20間にハゼ部Ｈの基部を配置する（第二取付け工程）。
【００２４】
次いで、図3(c)に示す様に、ナット５を締め付けることにより、右側つかみ部２の台座部６及び突片14と、左側つかみ部３の段丘部15（上段部15ａ及び下段部15ｂ）が相互に近づくことで、左右側つかみ部２、３の左右爪片13、20の間隔が狭まりハゼ部Ｈの基部を挟持して行き、更に段丘部15上に台座部６と突片14が対応し、突片先端14ａが段丘部15の下段部15ｂに受承されると、かかる部位を支点として左右側つかみ部２、３は相反方向に回動力を生じて左右爪片13、20のハゼ部Ｈの基部に対する挟持力をより増大させられ、これにより左右爪片13、20がハゼ部Ｈの基部を強固に挟持し、金属屋根Ｈに支持金具１が強固に取付けられる（第三取付け工程）。
【００２５】
尚、図3(c)に示すナット５の緊締状態では、ナット５は凹溝７内に没入状態で水平帯板８、8a上面より突出していない。
【００２６】
かかる支持金具１の取付状態において、右側つかみ部２と左側つかみ部３の左右脚部12、19は共に外方湾出する断面円弧板状に形成されているため、ナット５の締め付けによって左右脚部12、19に作用する応力を全体に一様に分布させられる。
【００２７】
上記の様に金属屋根Ｒに取付けられる支持金具１は、太陽電池パネルＰの設置数に応じて金属屋根Ｒ上の縦横に適宜間隔を以て点在させる（図４参照）。
そして、図５にも示す様に、太陽電池パネルＰの前後端部が、支持金具１の台座部６の前後に載置される。
【００２８】
太陽電池パネルＰの前端部又は後端部のみを載置する軒側又は棟側設置の支持金具１にあっては、間隔保持板９を水平帯板8aから離脱させ、略Ｌ字板状のパネル端固定具23を使用する。
【００２９】
このパネル端固定具23は、支持金具１中央に上方突出する螺子部4aを貫通して台座部６中央に着座する水平板部23ａと、該水平板部23ａ基端より立ち上がり形成して太陽電池パネルＰの前端面又は後端面を当接支持する垂直板部23ｂとから成り、水平板部23ａ上に貫通突出する螺子部4aにワッシャとバネ座金を挿通してナット24を螺着することにより、垂直板部23ｂの上端に水平板部23ａの反対側へ水平突設した掛止片23ｃが太陽電池パネルＰの前端部又は後端部の上側縁を押圧保持する様に成している。
【００３０】
金属屋根Ｒ上で軒側及び棟側以外に設置される支持金具１にあっては、その台座部６上の前後に間隔保持板９を介して各太陽電池パネルＰの前端部及び後端部を載置し、これらを押圧保持する凹溝状のパネル間固定具25を使用する。
【００３１】
このパネル間固定具25は、上記間隔Ｄと同幅の凹溝状の胴部25ａを設けて成り、該胴部25ａの溝底部中央を貫通突出する螺子部4aにワッシャとバネ座金を挿通してナット26を螺着することにより、該胴部25ａの前後壁上端に相反方向（前後方向）に水平突設した掛止片25ｂが各太陽電池パネルＰの前端部及び後端部の上側縁を押圧保持する様に成している。
【符号の説明】
【００３２】
１        支持金具
２        右側つかみ部
３        左側つかみ部
4a        螺子部
５        ナット
６        台座部
10、10ａ  長穴
12        右脚部
13        右爪片
14        突片
14ａ      先端部
15        段丘部
15ａ      上段部
15ｂ      下段部
19        左脚部
20        左爪片
Ｈ        ハゼ部
Ｐ        太陽電池パネル
Ｒ        金属屋根
Ｘ        桁行方向
Ｙ        流れ方向
【図１】
0006298414.tif 000002
【図２】
0006298414.tif 000003
【図３（ａ）】
0006298414.tif 000004
【図３（ｂ）】
0006298414.tif 000005
【図３（ｃ）】
0006298414.tif 000006
【図４】
0006298414.tif 000007
【図５】
0006298414.tif 000008